(57)【要約】【課題】黒レベル検出精度を向上させて、横スジを軽減することが可能な画像読取装置を提供することを目的とする。【解決手段】本発明の画像読取装置は、原稿を光学的に読み取って画像データに変換するカラーイメージセンサと、カラーモードと白黒モードとで、前記カラーイメージセンサのライン周期を変更するライン周期変更手段と、前記カラーイメージセンサの主走査方向および副走査方向の黒レベル検出範囲を設定する黒レベル検出範囲設定手段と、前記主走査方向および前記副走査方向の黒レベル検出範囲で各々黒レベル検出値を算出し、当該算出した黒レベル検出値に基づいて、黒減算値を算出する黒減算値算出手段と、前記画像データから前記黒減算値を減算する黒レベル補正手段と、を備えたものである。【選択図】        図４
2005333333.tif 000002
【特許請求の範囲】
【請求項１】
原稿を光学的に読み取って画像データに変換するカラーイメージセンサと、
カラーモードと白黒モードとで、前記カラーイメージセンサのライン周期を変更するライン周期変更手段と、
前記カラーイメージセンサの主走査方向および副走査方向の黒レベル検出範囲を設定する黒レベル検出範囲設定手段と、
前記主走査方向および前記副走査方向の黒レベル検出範囲で各々黒レベル検出値を算出し、当該算出した黒レベル検出値に基づいて、黒減算値を算出する黒減算値算出手段と、
前記画像データから前記黒減算値を減算する黒レベル補正手段と、
を備えたことを特徴とする画像読取装置。
【請求項２】
前記黒レベル検出範囲設定手段は、前記カラーモードの場合には前記白黒モードに比して、前記主走査方向の黒レベル検出範囲を大きく設定することを特徴とする請求項１に記載の画像読取装置。
【請求項３】
前記黒レベル検出範囲設定手段は、前記白黒モード時は前記カラーイメージセンサのオプティカル・ブラック部分を前記主走査方向の黒レベル検出範囲に設定する一方、前記カラーモード時は前記カラーイメージセンサの空転送部分に前記主走査方向の黒レベル検出範囲を設定することを特徴とする請求項２に記載の画像読取装置。
【請求項４】
前記黒減算値算出手段は、ライン単位で、前記主走査方向の黒レベル検出範囲の黒レベル検出値と前記副走査方向の黒レベル検出範囲の黒レベル検出値とを比較し、その差が閾値以上の場合には前記主走査方向の黒レベル検出範囲の黒レベル検出値を前記黒減算値とし、前記閾値以上でない場合には前記副走査方向の黒レベル検出範囲の黒レベル検出値を前記黒減算値とすることを特徴とする請求項１に記載の画像読取装置。
【請求項５】
前記カラーイメージセンサは、ＲＧＢカラーイメージセンサからなり、
前記黒減算値算出手段は、前記カラーモード時は、ＲＧＢ画像データを平均処理して前記黒レベル検出値を算出することを特徴とする請求項１に記載の画像読取装置。
【発明の詳細な説明】
【技術分野】
【０００１】
本発明は、画像読取装置に関し、詳細には、デジタル複写機やファクミリなどにおける原稿読取装置やパソコンの周辺機器用のイメージスキャナのようなイメージセンサを用いて画像を読み取る画像読取装置に関する。
【背景技術】
【０００２】
従来より、多数の撮像素子を直線上に並べてなり、色の３原色のそれぞれを読み取る３本のＣＣＤなどのラインイメージセンサを備えるカラー撮像素子を搭載したキャリッジを、原稿面に対して平行に移動させ、原稿の画像を読み取る画像読取装置が知られている。
【０００３】
例えば、フラットベット型の画像読取装置の場合は、箱型の筐体の上面に原稿を置くためのガラス等の透明板からなる原稿台が設けられており、筐体の内部には、駆動装置により原稿台に平行に移動するキャリッジが設けられている。このキャリッジには、光源と上記のカラー撮像手段が搭載されている。光源の照射光は、原稿台上の原稿表面で反射され、集光レンズによりカラー撮像手段に集光されるようになっている。
【０００４】
このようなラインイメージセンサにあっては、各々の光電変換素子から出力される信号が、全く光が入射されていない場合であっても、或る量の出力値が出力されてしまう現象が知られている。この場合の出力電圧は、暗時出力電圧と称されている。本来の画像読取時には、光電変換素子の暗時出力電圧は各々の画像データ電圧に付加されて出力されるので、真の画像信号電圧を得るためには光電変換素子の出力電圧から暗時出力電圧分を差し引くという補正処理（暗時出力補正処理）を施す必要がある。
【０００５】
このような暗時出力補正に関する手法として、光シールド素子を利用するライン単位で補正する方式が知られている。例えば、特許文献１（特開昭６０−４１３６３号公報）や特許文献２（特開平２−１７９０６９号公報）等に記載されているように、イメージセンサの有効画像領域外に複数の光シールド素子（ダミー光電変換素子）を遮光状態で形成しておき、常に暗時出力電圧が得られる状態とし、これらの光シールド素子から得られる暗時出力値に基づきライン単位で有効画像領域中の本来の光電変換素子の暗時出力補正を行うようにしたものである。
【０００６】
【特許文献１】特開昭６０−４１３６３号公報
【特許文献２】特開平２−１７９０６９号公報
【発明の開示】
【発明が解決しようとする課題】
【０００７】
画像読取装置で読み取られた画像データは、後段の画像処理部でγ変換が行われるが、このγ変換により、黒側のデータのバラツキが目立つ方向に変換される。この場合、特にカラー画像読取装置においては、上述したライン単位で補正を行う方式の場合は、ＲＧＢで黒レベル検出値が副走査方向に異なるように変化したときに、例えば、無彩色の原稿を読み取ったときに色がつくラインが発生し、横スジ上の画像が現れてしまうという問題がある。
【０００８】
本発明は、上記課題に鑑みてなされたものであり、黒レベル検出精度を向上させて、横スジを軽減することが可能な画像読取装置を提供することを目的とする。
【課題を解決するための手段】
【０００９】
上述した課題を解決し、目的を達成するために、本発明は、原稿を光学的に読み取って画像データに変換するカラーイメージセンサと、カラーモードと白黒モードとで、前記カラーイメージセンサのライン周期を変更するライン周期変更手段と、前記カラーイメージセンサの主走査方向および副走査方向の黒レベル検出範囲を設定する黒レベル検出範囲設定手段と、前記主走査方向および前記副走査方向の黒レベル検出範囲で各々黒レベル検出値を算出した、算出した黒レベル検出値に基づいて黒減算値を算出する黒減算値算出手段と、前記画像データから前記黒減算値を減算する黒レベル補正手段と、を備えたことを特徴とする。
【００１０】
また、本発明の好ましい態様によれば、前記黒レベル検出範囲設定手段は、前記カラーモードの場合には前記白黒モードに比して、主走査方向の黒レベル検出範囲を大きく設定することが望ましい。
【００１１】
また、本発明の好ましい態様によれば、前記黒レベル検出範囲設定手段は、前記白黒モード時は前記カラーイメージセンサのオプティカル・ブラック部分を前記黒レベル検出範囲に設定する一方、前記カラーモード時は前記カラーイメージセンサの空転送部分に前記黒レベル検出範囲を設定することが望ましい。
【００１２】
また、本発明の好ましい態様によれば、前記黒減算値算出手段は、ライン単位で、主走査方向の黒レベル検出範囲の黒レベル検出値と副走査方向の黒レベル検出範囲の黒レベル検出値とを比較し、その差が閾値以上の場合には主走査方向の黒レベル検出範囲の黒レベル検出値を前記黒減算値とし、前記閾値以上でない場合には副走査方向の黒レベル検出範囲の黒レベル検出値を前記黒減算値とすることが望ましい。
【００１３】
また、本発明の好ましい態様によれば、前記カラーイメージセンサは、ＲＧＢカラーイメージセンサからなり、前記黒減算値算出手段は、前記カラーモード時は、ＲＧＢ画像データを平均処理して前記黒レベル検出値を算出することが望ましい。
【発明の効果】
【００１４】
本発明（請求項１）によれば、原稿を光学的に読み取って画像データに変換するカラーイメージセンサと、カラーモードと白黒モードとで、前記カラーイメージセンサのライン周期を変更するライン周期変更手段と、前記カラーイメージセンサの主走査方向および副走査方向の黒レベル検出範囲を設定する黒レベル検出範囲設定手段と、前記主走査方向および前記副走査方向の黒レベル検出範囲で各々黒レベル検出値を算出し、算出した黒レベル検出値に基づいて黒減算値を算出する黒減算値算出手段と、前記画像データから前記黒減算値を減算する黒レベル補正手段と、を備えているので、黒レベルの検出精度を向上でき、横スジを軽減することが可能となる。
【００１５】
本発明（請求項２）によれば、前記黒レベル検出範囲設定手段は、前記カラーモードの場合には前記白黒モードに比して、主走査方向の黒レベル検出範囲を大きく設定することとしたので、カラーモード時の黒レベル検出精度を向上でき、横スジを軽減することが可能となる。
【００１６】
本発明（請求項３）によれば、前記黒レベル検出範囲設定手段は、前記白黒モード時は前記カラーイメージセンサのオプティカル・ブラック部分を前記黒レベル検出範囲に設定する一方、前記カラーモード時は前記カラーイメージセンサの空転送部分に前記黒レベル検出範囲を設定することとしたので、カラー時の黒レベル検出範囲をＣＣＤの空転送部分に設定することにより、より広い範囲に検出範囲を設定することが可能となる。
【００１７】
本発明（請求項４）によれば、前記黒減算値算出手段は、ライン単位で、主走査方向の黒レベル検出範囲の黒レベル検出値と副走査方向の黒レベル検出範囲の黒レベル検出値とを比較し、その差が閾値以上の場合には主走査方向の黒レベル検出範囲の黒レベル検出値を前記黒減算値とし、前記閾値以上でない場合には副走査方向の黒レベル検出範囲の黒レベル検出値を前記黒減算値とすることとしたので、副作用無く横スジを軽減することが可能となる。
【００１８】
本発明（請求項５）によれば、前記カラーイメージセンサは、ＲＧＢカラーイメージセンサからなり、前記黒減算値算出手段は、前記カラーモード時は、ＲＧＢ画像データを平均処理して前記黒レベル検出値を算出することとしたので、黒レベル検出画素数を増やせて黒レベルの検出精度が上がり、またＲＧＢで黒レベルの変動を同じ傾向にすることができ、横色スジを軽減することが可能となる。
【発明を実施するための最良の形態】
【００１９】
以下、この発明に係る画像読取装置について、図面を参照しつつ詳細に説明する。なお、この実施例によりこの発明が限定されるものではない。また、下記実施例における構成要素には、当業者が容易に想定できるものまたは実質的に同一のものが含まれる。
【実施例】
【００２０】
図１は、本発明に係る画像読取装置を適用した画像形成装置１の構成を示すブロック図である。画像形成装置１は、図１に示すように、原稿の画像データを読み取る画像読取部（スキャナ部）１００と、画像読取部１００で読み取った画像データに対して画像処理を施す画像処理部２００と、画像処理部２００で画像処理された画像データを紙等に出力するプリンタ部３００とで構成されている。
【００２１】
図２は、本実施例に係る画像読取部１００のメカ構成を示す断面図である。画像読取部１００は、図２に示すように、原稿台として原稿１１１を載置するコンタクトガラス１０１と、原稿露光用の照明ランプ１２１および第１反射ミラー１２２からなる第１キャリッジ１０２と、第２反射ミラー１３１および第３反射ミラー１３２からなる第２キャリッジ１０３と、ＣＣＤリニアイメージセンサ（以下、「ＣＣＤ」と称する）１０５と、ＣＣＤ１０５に結像するためのレンズユニット１０４と、ＣＣＤ１０５を搭載するセンサーボード１０６と、センサボード１０６と信号処理基板１０８とを接続する接続ケーブル１０７と、信号処理基板１０８と、読み取り光学系等による各種の歪みを補正するための白基準板１０９とを筐体１１０に備えて構成されている。
【００２２】
上記構成の画像読取装置１００において、コンタクトガラス１０１に原稿１１１を載置固定して読み取る場合には、第１キャリッジ１０２が一定の速度で往動（矢印Ａ方向）し、かつ、第２キャリッジ１０３が第１キャリッジ１０２の１／２の速度で第１キャリッジ１０２に追従して往動することにより、コンタクトガラス１０１上の原稿１１１が光学的に走査される。原稿の読取り終了後、第１キャリッジ１０２及び第２キャリッジ１０３は、ホームポジション（図１に示す位置）に復動する。なお、第１キャリッジ１０２及び第２キャリッジ１０３は、不図示のモータ駆動系で駆動される。
【００２３】
図３は、本実施例に係る画像形成装置１の電気的構成を示すブロック図である。画像読取部１００は、上述のＣＣＤ１０５と、上述の信号処理基板１０８に搭載される信号処理回路１４０とを備えている。ＣＣＤ１０５は、ＲＧＢのフィルタで覆われたＣＣＤセンサが３列並んで配置されたカラー３ラインＣＣＤで構成されている。ＣＣＤ１０５は、出力が奇数相（ＯＤＤ）、偶数相（ＥＶＥＮ）の２系統に分けられて出力される２相出力方式であり、かつ、有効画像領域外には光シールドされた光電素子が設けられている。
【００２４】
信号処理回路１４０は、ＣＣＤ１０５から出力されるＲ、Ｇ、Ｂアナログ画像データのアナログ波形の信号部分をサンプリングするとともに内蔵するアンプでそのゲインを調整した後、Ｒ、Ｇ、Ｂアナログ画像信号をＡ／Ｄ変換して８ビットのデジタルのＲＧＢ画像データとして画像処理部２００に出力する。ＣＣＤ１０５は、カラー３ラインＣＣＤであるので、ＣＣＤ１０５から出力される信号は、３ライン等倍時４ライン間隔の位置ズレが存在する。すなわち、Ｒ−Ｂ間では、８ラインの位置ズレが存在している。
【００２５】
画像処理部２００は、ライン間補正部２０１と、シエーディング補正部２０２と、ドット補正部２０３と、像域分離部２０４と、スキャナγ部２０５と、フィルタ部２０６と、色補正部２０７と、変倍部２０８と、プリンタγ部２０９と、階調処理部２１０とを備えている。
【００２６】
ライン間補正部２０１は、画像読取部１００から入力されるＲ、Ｇ、Ｂ画像データに対して、Ｒ信号を８ライン蓄えて、Ｇ信号を４ライン蓄えて遅延させることでライン間の位置ズレを補正し、補正したＲ、Ｇ、Ｂ画像データをシェーディング補正部２０２に出力する。
【００２７】
シェーディング補正部２０２は、入力するＲ、Ｇ、Ｂ画像データに対して、光学系の濃度ムラやＣＣＤ１０５の感度バラツキを補正して、補正したＲ、Ｇ、Ｂ画像データをドット補正部２０３に出力する。
【００２８】
ドット補正部２０３は、変倍時においてライン間補正部２０１だけでは位置ズレが合わない場合が生じるため、入力するＲ、Ｇ、Ｂ画像データに対して、ライン間補正部２０１で補正しきれない１ライン以下の位置ズレを周囲の画素を参照して補正し、補正したＲ、Ｇ、Ｂ画像データをスキャンγ部２０５および像域分離部２０４に出力する。
【００２９】
像域分離部２０４は、後段の画像処理において画像の特徴に合った最適な処理を行うために、Ｒ、Ｇ、Ｂ画像データの各画素が文字領域であるか絵柄領域であるかを判定して、文字領域、絵柄領域を示す領域判定信号（例えば、文字領域「０」／絵柄領域「１」）をフィルタ部２０６、色補正部２０７、変倍部２０８、プリンタγ部２０９、および階調処理部２１０に出力する。
【００３０】
スキャナγ部２０５は、入力されるＲ、Ｇ、Ｂ画像データは、反射率に関しリニアな特性を有しているので、このＲ、Ｇ、Ｂ画像データを、後段の色補正部２０７で色補正の補正精度が向上するような特性に変換してフィルタ部２０６に出力する。
【００３１】
フィルタ部２０６は、入力されるＲ、Ｇ、Ｂ画像データに対して、領域判定信号に基づいてフィルタ処理を行い、フィルタ処理後のＲ、Ｇ、Ｂ画像データを色補正部２０７に出力する。具体的には、フィルタ部２０６は、Ｒ、Ｇ、Ｂ画像データに対して、文字領域についてはシャープにするためにエッジを強調し、絵柄領域については滑らかにするために平滑化処理を行う。
【００３２】
色補正部２０７は、入力されるＲ、Ｇ、Ｂ画像データに対して、領域判定信号に基づいてＣ、Ｍ、Ｙ、Ｋ信号に変換して変倍部２０８に出力する。ＣＣＤ１０５の感度やインクの特性は理想とは異なるため、複写機においては、原稿との差を補正するように色補正パラメータが調整される。
【００３３】
変倍部２０８は、入力されるＣ、Ｍ、Ｙ、Ｋ信号に対して、主走査方向の変倍処理を行ってプリンタγ部２０９に出力する。この場合、コンボリューション法を使うことで、読取り光学系のＭＴＦを保持したまま変倍処理を行い、画像データの解像力を維持することができる。なお、副走査方向に関しては、副走査方向の走査速度を制御することにより行う。
【００３４】
プリンタγ部２０９は、入力されるＣ、Ｍ、Ｙ、Ｋ信号に対して、領域判定信号に基づいて原稿とコピー濃度を一致させるためのγ変換を行い、階調処理部２１０に出力する。具体的には、プリンタγ部２０９は、原稿とコピー濃度を最終的に一致させるために、原稿とトナーの分光特性の差、グレーバランス、トップ濃度が適正になるように処理を行う。
【００３５】
階調処理部２１０は、入力されるＣ、Ｍ、Ｙ、Ｋ信号（８ビット）を、領域判定信号に基づいて２値化または多値化してプリンタ部３００に出力する。具体的には、階調処理部２１０は、Ｃ、Ｍ、Ｙ、Ｋ信号（８ビット）に対して、文字領域については２値化または数段間の多値化を行い、絵柄領域についてはディザ処理あるいは誤差拡散処理を行う。
【００３６】
プリンタ部３００は、入力されるＣ、Ｍ、Ｙ、Ｋ信号をＬＤ書込み部３０１を介して、用紙に印字する。
【００３７】
図４は本実施例に係る信号処理回路１４０の構成を説明するための画像読取部１００の詳細なブロック図である。信号処理回路１４０は、サンプルホールド回路１４１と、黒レベル補正回路１４２と、２つの増幅回路１４３、２つのＡＤＣ（Ａ／Ｄコンバータ）１４４と、マルチプレクス回路１４５と、タイミング発生回路１４６と、Ｉ／Ｆ１４７とを備えている。
【００３８】
まず、ＣＣＤ１０５は、タイミング発生回路１４６から入力される駆動パルスに同期してアナログ画像データＶｅ（奇数ライン）、Ｖｏ（偶数ライン）をサンプルホード回路１４１に出力する。サンプルホールド回路１４１、アナログ画像データＶｅ、Ｖｏをそれぞれタイミング発生回路１４６から入力されるサンプルパルスによりサンプリングして保持して画像データを連続したアナログ信号にして黒レベル補正回路１４２に出力する。
【００３９】
黒レベル補正回路１４２は、入力されるＲ、Ｇ、Ｂ画像データに対して黒減算値を減算することにより、ＣＣＤ１０５の暗出力のレベルのバラツキを補正して増幅回路１４３に出力する。黒減算値の詳細な算出方法は後述する。増幅回路１４３は、各色画像データの奇数、偶数画素の出力を一定レベルに合わせた後、ＡＤＣ１４４に出力する。ＡＤＣ１４４は、アナログ画像データＶｅ、Ｖｏをデジタル画像データに変換してマルチプレクス回路１４５に出力する。マルチプレクス回路１４５は、奇数、偶数画素の画像データの出力をマルチプレクスした画像データを、Ｉ／Ｆ１４７を介して、後段の画像処理部２００に出力する。ＣＣＤ１０５およびその他の回路の駆動に必要な信号はタイミング発生回路部１４６で生成される。
【００４０】
図５は、白黒時（白黒モード時）の主走査方向の読取りタイミングを説明するためのタイミングチャート、図６はカラー時（カラーモード時）の主走査方向の読取りタイミングを説明するためのタイミングチャートを示している。本実施例では、カラー時の読取り速度と白黒時の読取り速度が違うことを前提に説明する。これは、カラー複写機の場合に一般的には構造上カラーのコピー速度の方が遅くなるため、それに応じて読取り速度を遅くすることが可能である。
【００４１】
図５および図６において、ＴＧは、ＣＣＤ１０５の転送ゲート信号でフォトダイオードに蓄積した電荷をＣＣＤレジスタに移送する信号であり、ライン周期で発生する。φ１は、ＣＣＤレジスタ部において電荷を転送するための駆動パルスである。ＶＯＵＴは、ＣＣＤ１０５から出力されるアナログ信号出力を示し、ダミー信号の空転送部、受光部がシールドされているオプティカル・ブラック部と、実際に読み取る有効フォトセルの部分からなる。このＴＧ、φ１信号は、タイミング発生回路１４６で生成される。
【００４２】
まず、黒読み取りの検出タイミング設定について説明する。図５に示すように、白黒読取りモード時には、タイミング発生回路１４６では、ライン周期Ｔ１になるように各種タイミングを設定する。このとき黒読取り検出範囲（主走査方向の黒レベル検出範囲）をオプティカル・ブラック部分（９６画素）の信号部に設定する。
【００４３】
次に、図６に示すようにカラー読取りモード時には、タイミング発生回路１４６では、ライン周期がＴ２になるように各種タイミングを設定する。カラーの方がライン周期が長いため、ＶＯＵＴ出力において有効画素領域後の空転送部が多くなる。カラー読取りモード時には、黒読取り検出範囲（主走査方向の黒レベル検出範囲）を、図６に示すように、空転送部に設定することにより、白黒読取モード時よりも検出画素を多く設定する。後述するように、主走査方向の黒レベル検出範囲で検出した画素値を平均した値を黒レベル検出値として使用する。このように、検出画素が多くなるほどノイズの影響が受けずに黒レベル検出値を算出することができる。
【００４４】
図７は、図４の黒レベル補正回路１４２の構成の一例を示す図である。黒レベル補正回路１４２は、図７に示すように、黒レベル検出部４０１と黒レベル補正制御部４０２とを備えている。図７において、画像データＤ１が黒レベル検出部４０１と黒レベル補正制御部４０２に入力される。黒レベル検出部４０１では、副走査方向の黒レベル検出範囲（複数ラインの主走査方向の黒レベル検出範囲）において画素値を平均処理した第１の黒レベル検出値と、主走査方向の黒レベル検出範囲（注目ラインの主走査方向の黒レベル検出範囲）において画素値を平均処理した第２の黒レベル検出値とを算出し、ライン単位で、第１の黒レベル検出値と第２の黒レベル検出値とを比較し、その差が設定値（閾値）以上の場合には第２の黒レベル検出値を、それ以外の場合は第１の黒レベル検出値を黒減算値Ｄ２として、黒レベル補正制御部４０２に出力する。
【００４５】
図８は第１の黒レベル検出値と第２の黒レベル検出値の一例を示す図である。図８において、横軸は副走査方向位置（ライン位置）、縦軸は画像データレベル（黒レベル）を示しており、破線部分が第１の黒レベル検出値（副走査方向に平均処理した黒レベル検出値）、実線部分が第２の黒レベル検出値（主走査方向に平均処理した黒レベル検出値）を示している。
【００４６】
黒レベル補正制御部４０２は、黒レベル検出部４０１から入力される黒減算値Ｄ２と画像データＤ１の位相をそろえ、画像データＤ１から黒減算値Ｄ２を減算して、その結果を画像データＤ３として出力する。このような黒レベル補正を行うことにより、黒レベルの変動に伴う横スジを軽減することができる。本実施例においては、黒レベル補正回路１４２を画像読取部１００に設けることしたが、後段の画像処理部２００に設けることにしても良い。
【００４７】
カラー読取りモード時の黒レベル検出も同様であり、ＲＧＢの３信号が黒レベル検出部４０１、黒レベル補正制御部４０２に入力され同様に処理される。この場合、３信号は別々の系統で並行処理する方法の他に、ＲＧＢの３信号を平均処理して黒レベル検出値を算出してノイズを軽減する方法もある。この場合には、ＲＧＢはライン間補正処理後のデータで黒レベル検出値を検出する必要があるため、黒レベル検出部４０１および黒レベル補正制御部４０２は画像処理部２００のライン間補正部２０１の後段に設ける必要がある。
【産業上の利用可能性】
【００４８】
以上のように、本発明に係る画像読取装置は、デジタル複写機やファクミリなどにおける原稿読取装置やパソコンの周辺機器用のイメージスキャナのようなイメージセンサを用いて画像を読み取る場合に、暗時出力補正を行う装置に広く利用可能である。
【図面の簡単な説明】
【００４９】
【図１】本発明に係る画像読取装置を適用した画像形成装置の構成を示すブロック図である。
【図２】本実施例に係る画像読取部のメカ構成を示す断面図である。
【図３】本実施例に係る画像形成装置の電気的構成を示すブロック図である。
【図４】本実施例に係る信号処理回路の構成を示すブロック図である。
【図５】白黒時の主走査方向の読取りタイミングを説明するためのタイミングチャートである。
【図６】カラー時の主走査方向の読取りタイミングを説明するためのタイミングチャートである。
【図７】黒レベル補正回路部の構成の一例を示す図である。
【図８】第１の黒レベル検出値と第２の黒レベル検出値の一例を示す図である。
【符号の説明】
【００５０】
１  画像形成装置
１００  画像読取部（スキャナ部）
１０１  コンタクトガラス
１０２  第１キャリッジ
１０３  第２キャリッジ
１０４  レンズユニット
１０５  ＣＣＤ
１０６  センサーボード
１０７  接続ケーブル
１０８  信号処理基板
１０９  白基準板
１１０  筐体
１１１  原稿
１２１  照明ランプ
１２２  第１反射ミラー
１３１  第２反射ミラー
１３２  第３反射ミラー
１４０  信号処理回路
１４１  サンプルホールド回路
１４２  黒レベル補正回路
１４３  増幅回路
１４４  ＡＤＣ（Ａ／Ｄコンバータ）
１４５  マルチプレクス回路
１４６  タイミング発生回路
１４７  Ｉ／Ｆ
２００  画像処理部
２０１  ライン間補正部
２０２  シエーディング補正部
２０３  ドット補正部
２０４  像域分離部
２０５  スキャナγ部
２０６  フィルタ部
２０７  色補正部
２０８  変倍部
２０９  プリンタγ部
２１０  階調処理部
３００  プリンタ部
３０１  ＬＤ書込部
【図１】
2005333333.tif 000003
【図２】
2005333333.tif 000004
【図３】
2005333333.tif 000005
【図４】
2005333333.tif 000006
【図５】
2005333333.tif 000007
【図６】
2005333333.tif 000008
【図７】
2005333333.tif 000009
【図８】
2005333333.tif 000010